(57)【要約】  本発明は、周波数軸で直交するサブキャリアが予め決定された時間単位でシンボルを構成し、前記シンボルでフレームを構成して伝送する広帯域無線通信システムの基地局において、バースト割当情報を伝送する方法であって、前記基地局に連結された移動端末の基本接続ＩＤが予め設定された範囲（range）内に存在する際、移動端末の基本接続ＩＤ（Basic ＣＩＤ）を縮小する過程と、前記縮小されたＩＤを含む接続情報を前記フレームで構成して移動端末に伝送するステップと、を含むことを特徴とする。
2007525134.tif 000002
【特許請求の範囲】
【請求項１】
周波数軸で直交するサブキャリアが予め決定された時間単位でシンボルを構成し、前記シンボルでフレームを構成して伝送する広帯域無線通信システムの基地局において、バースト割当情報の大きさを減少させるための方法であって、
前記バースト割当情報の大きさを減少させるために、前記基地局に連結された移動端末の基本接続ＩＤが予め設定された範囲（range）内に存在する際、縮小連結ＩＤの種類を決める過程と、
前記縮小連結ＩＤの使用の可否を表すイネーブルフィールドを含む設定情報を前記移動端末に伝送する過程と、
を含むことを特徴とする方法。
【請求項２】
前記イネーブルフィールドは、
前記縮小連結ＩＤの使用の可否と前記縮小連結ＩＤの種類とを表すことができるように、少なくとも２つのビットから構成されることを特徴とする請求項１記載の方法。
【請求項３】
前記縮小連結ＩＤは、
前記基本接続ＩＤ（Basic ＣＩＤ）の下位ビット（Least Significant Bit：ＬＳＢ）から構成されることを特徴とする請求項２記載の方法。
【請求項４】
前記設定情報は、
前記バースト割当情報の開始部分に位置することを特徴とする請求項１記載の方法。
【請求項５】
周波数軸で直交するサブキャリアが予め決定された時間単位でシンボルを構成し、前記シンボルでフレームを構成して伝送する広帯域無線通信システムの基地局において、バースト割当情報を構成する方法であって、
前記基地局に連結された移動端末の基本接続ＩＤが予め設定された範囲（range）内に存在する際、縮小連結ＩＤの使用の可否と種類とを表すイネーブルフィールドを設定情報に設定する過程と、
前記バースト割当情報の大きさを縮小するために、前記バースト割当情報に縮小連結ＩＤを設定する過程と、
を含むことを特徴とする方法。
【請求項６】
前記イネーブルフィールドは、
前記縮小連結ＩＤの使用の可否と前記縮小連結ＩＤの種類とを表すことができるように、少なくとも２つのビットから構成されることを特徴とする請求項５記載の方法。
【請求項７】
前記縮小連結ＩＤを設定する過程は、
前記基本接続ＩＤ（Basic ＣＩＤ）の下位ビット（Least Significant Bit：ＬＳＢ）から構成してなされることを特徴とする請求項５記載の方法。
【請求項８】
周波数軸で直交するサブキャリアが予め決定された時間単位でシンボルを構成し、前記シンボルでフレームを構成して伝送する広帯域無線通信システムであって、
バースト情報を伝送する移動端末の基本接続ＩＤが予め設定された範囲（range）内に存在する際、設定情報に縮小連結ＩＤの種類と前記縮小連結ＩＤの使用の可否とを設定するイネーブルフィールド情報を含んで移動端末に伝送する基地局と、
前記基地局から伝送された接続情報のうち、縮小連結ＩＤイネーブルフィールドを確認し、前記イネーブルフィールドに基づいて縮小連結ＩＤを適用する移動端末と、
を備えてなることを特徴とするシステム。
【請求項９】
前記イネーブルフィールドは、
前記縮小連結ＩＤの使用の可否と前記縮小連結ＩＤの種類とを表すことができるように、少なくとも２つのビットから構成されることを特徴とする請求項８記載のシステム。
【請求項１０】
前記縮小連結ＩＤは、
前記基本接続ＩＤ（Basic ＣＩＤ）の下位ビット（Least Significant Bit：ＬＳＢ）から構成されることを特徴とする請求項８記載のシステム。
【請求項１１】
周波数軸で直交するサブキャリアが予め決定された時間単位でシンボルを構成し、前記シンボルでフレームを構成して伝送する広帯域無線通信システムの基地局であって、
バースト情報を伝送する移動端末の基本接続ＩＤが予め設定された範囲（range）内に存在する際、設定情報に縮小連結ＩＤの種類と前記縮小連結ＩＤの使用の可否とを設定するイネーブルフィールド情報を含んで移動端末に伝送することを特徴とする基地局。
【請求項１２】
前記イネーブルフィールドは、
前記縮小連結ＩＤの使用の可否と前記縮小連結ＩＤの種類とを表すことができるように、少なくとも２つのビットから構成されることを特徴とする請求項１１記載の基地局。
【請求項１３】
前記縮小連結ＩＤは、
前記基本接続ＩＤ（Basic ＣＩＤ）の下位ビット（Least Significant Bit：ＬＳＢ）から構成されることを特徴とする請求項１１記載の基地局。
【請求項１４】
周波数軸で直交するサブキャリアが予め決定された時間単位でシンボルを構成し、前記シンボルでフレームを構成して伝送する広帯域無線通信システムの移動端末であって、
前記基地局から伝送された設定情報のうち、縮小連結ＩＤの使用の可否を表すイネーブルフィールドを確認し、前記イネーブルフィールドに基づいて縮小連結ＩＤを適用することを特徴とする端末。
【請求項１５】
前記イネーブルフィールドは、
前記縮小連結ＩＤの使用の可否と前記縮小連結ＩＤの種類とを表すことができるように、少なくとも２つのビットから構成されることを特徴とする請求項１４記載の端末。
【請求項１６】
前記縮小連結ＩＤは、
前記基本接続ＩＤ（Basic ＣＩＤ）の下位ビット（Least Significant Bit：ＬＳＢ）から構成されることを特徴とする請求項１４記載の端末。
【請求項１７】
周波数軸で直交するサブキャリアが予め決定された時間単位でシンボルを構成し、前記シンボルでフレームを構成して伝送する広帯域無線通信システムの基地局であって、
基地局内に端末の基本接続ＩＤが予め設定された範囲内にあるかどうかを判断して、設定情報に縮小連結ＩＤの種類と前記縮小連結ＩＤの使用の可否とを設定するイネーブルフィールドを設定する制御部と、
前記設定情報を含むバースト割当情報、プリアンブル、トラフィックを多重化したフレームを移動端末に伝送する送信部と、
を備えてなることを特徴とする基地局。
【請求項１８】
前記基地局と端末とのシステム同期を合せるプリアンブル設定部と、
上位段から伝送されたトラフィックを受信するトラフィック部と、
を更に含んでなることを特徴とする請求項１７記載の基地局。
【請求項１９】
前記イネーブルフィールドは、
前記縮小連結ＩＤの使用の可否と前記縮小連結ＩＤの種類とを表すことができるように、少なくとも２つのビットから構成されることを特徴とする請求項１７記載の基地局。
【請求項２０】
周波数軸で直交するサブキャリアが予め決定された時間単位でシンボルを構成し、前記シンボルでフレームを構成して伝送する広帯域無線通信システムの移動端末であって、
前記フレームからバースト割当情報を検出して制御部に伝送するバースト割当情報検出部と、
前記バースト割当情報から縮小連結ＩＤの種類と前記縮小連結ＩＤの使用の可否とを表すイネーブルフィールドを確認し、前記イネーブルフィールドに基づいて前記縮小連結ＩＤの適用の可否を設定する制御部と、
を備えてなることを特徴とする端末。
【請求項２１】
前記イネーブルフィールドは、
前記縮小連結ＩＤの使用の可否と前記縮小連結ＩＤの種類とを表すことができるように、少なくとも２つのビットから構成されることを特徴とする請求項２０記載の端末。
【請求項２２】
前記フレームを受信し、基地局と前記移動端末との間のシステム同期を合せる受信部と、
前記受信部から前記フレームを受信し、前記制御部から伝送されたバースト割当情報を用いて前記フレームを復号するトラフィック処理部と、
を更に含んでなることを特徴とする請求項２０記載の端末。
【発明の詳細な説明】
【技術分野】
【０００１】
本発明は、広帯域直交周波数多重化接続システムに関し、特に、移動端末（Mobile Subscriber Station：ＭＳＳ）にバーストデータを割り当てる方法に関する。
【背景技術】
【０００２】
従来の移動通信網は、音声サービスを提供することを主目的にして開発された。したがって、比較的データ伝送帯域幅が小さく、使用料が高いという短所がある。しかしながら、最近、通信産業の発達とインターネットサービスに対する使用者の要求が増加しており、前述したような従来の移動通信網では使用者の要求を満たせず、インターネットサービスを效率よく提供することができる通信システムに対する必要性が増大している。
【０００３】
したがって、国際標準化機構のうち電気電子技術者協会（Institute of Electrical and Electronics Engineers；以下、“ＩＥＥＥ”）のＩＥＥＥ ８０２．１６標準化グループでは、固定端末に対して無線広帯域インターネットサービスを提供するための標準にＩＥＥＥ ８０２．１６ｄ標準の採用を働きかけている。
【０００４】
前記ＩＥＥＥ ８０２．１６ｄ標準は、従来の音声サービスのための無線技術に比べて、データの帯域幅が広くて、短時間に多くのデータを伝送でき、全ての使用者がチャンネルを共有してチャンネルを效率よく使用することができる。前記ＩＥＥＥ ８０２．１６ｄシステムは、基地局に連結された全ての使用者が共通チャンネルを共有して使用し、各使用者がチャンネルを使用する区間は、上り及び下りフレーム毎に基地局により割り当てられるので、基地局はフレーム毎に各使用者がチャンネルを分けて使用できるように、バースト割当情報を含む接続情報（ＭＡＰ）を知らせなければならない。前記ＩＥＥＥ ８０２．１６ｄでは、前記接続情報を上り接続情報（Up Link MAP：ＵＬ＿ＭＡＰ）と下り接続情報（Down Link MAP：ＤＬ＿ＭＡＰ）とに分けて、毎フレームの前段に前記ＵＬ＿ＭＡＰとＤＬ＿ＭＡＰとを全ての使用者に伝送する。
【０００５】
図１は、従来の技術に係るＩＥＥＥ ８０２．１６ｄでの下りリンクと上りリンクとのフレーム構造を示す図である。
【０００６】
図１を参照すれば、縦軸は多数個のサブチャンネルナンバー１４７を表し、横軸はＯＦＤＭＡシンボルナンバー１４５を表す。
【０００７】
まず、下りリンク１４９の説明では、下りリンクを構成するサブチャンネルの前段にプリアンブル１１１が位置し、次にフレーム制御ヘッダ（Frame Control Header：ＦＣＨ）１１３及びＵＬ＿ＭＡＰ１１７のような放送（broadcast）データ情報が位置し、最後に、シンボルに下りバースト１２１、１２３、１２５、１２７及び１２９が位置することになる。
【０００８】
一方、上りリンクは、各上りリンクバースト１３７、１３９及び１４１の前にプリアンブル１３１、１３３及び１３５が存在し、レーンジングのためのレーンジングサブチャンネル１４３が存在することになる。
【０００９】
前記下りリンク１４９に含まれているＤＬ＿ＭＡＰ１１５及びＵＬ＿ＭＡＰ１１７は、下りバースト１２１、１２３、１２５、１２７及び１２９と上りバースト１３７、１３９及び１４１の位置と割当とに関する情報を有しており、これは基地局から端末に伝送される。そうすると、前記端末は、前記ＤＬ＿ＭＡＰ１１５及びＵＬ＿ＭＡＰ１１７に含まれている上りバースト１３７、１３９及び１４１と、下りバースト１２１、１２３、１２５、１２７及び１２９との位置及び割当に関する情報を用いてフレーム毎に周波数とシンボルとが結合されたサブチャンネルを可変的に受信して基地局と通信することになる。即ち、フレーム毎に使われるサブチャンネルは、固定的ではなく可変である。
【００１０】
一方、接続情報要素（以下、ＭＡＰ＿ＩＥと称する）の伝送において、各々の接続情報要素は、１つの端末に対する接続情報を表示し、各端末は接続情報要素（ＭＡＰ＿ＩＥ）に含まれた基本接続ＩＤ（Basic ＣＩＤ）が自身の基本接続ＩＤ（Basic ＣＩＤ）であることを確認し、該当接続情報要素が表示する周波数上及びシンボル上のサブチャンネルを通じてバーストを送受信する。
【００１１】
前述したように、既存のＩＥＥＥ ８０２．１６広帯域直交周波数多重化接続システムでは、基地局が移動端末にダウンリンクマップ及びアップリンクマップのような放送データ情報を通じて各端末に該当フレームでバーストを伝送するために使用するサブチャンネルを割り当てる。しかしながら、基地局が各端末に対してバースト割当情報を伝送しなければならないので、それに従う割当情報自体がシステムに対して大きなオーバーヘッドとなる。特に、基地局に接続中の端末の個数が多い場合は、このようなバースト割当情報が共有伝送チャンネルの資源を更に多く占めることになるので、システム性能低下の要因として作用するという問題がある。
【発明の開示】
【発明が解決しようとする課題】
【００１２】
前記のような問題を解決するための本発明の目的は、オーバーヘッドを減らすためのバースト割当情報構成方法を提供することにある。
【００１３】
本発明の他の目的は、広帯域無線通信システムにおいて、バースト割当情報伝送のために使われる連結ＩＤを縮小させて、システムオーバーヘッドを減らす方法を提供することにある。
【００１４】
本発明の更に他の目的は、広帯域無線通信システムにおいて、連結ＩＤ縮小の可否を表示するシステム情報をフレームに含めて、基地局に接続されている端末の前記連結ＩＤ縮小制御方法を提供することにある。
【００１５】
本発明の更に他の目的は、広帯域無線通信システムにおいて、連結縮小ＩＤの使用の可否を決めるための基地局に連結された移動端末のしきい値を可変させることができる端末の連結ＩＤ縮小制御方法を提供することにある。
【課題を解決するための手段】
【００１６】
前記のような目的を達成するために、本発明は、周波数軸で直交するサブキャリアが予め決定された時間単位でシンボルを構成し、前記シンボルでフレームを構成して伝送する広帯域無線通信システムの基地局において、バースト割当情報を伝送する方法であって、前記基地局に連結された移動端末の基本接続ＩＤが予め設定された範囲（range）内に存在する際、前記バーストの接続情報（ＭＡＰ）に移動端末の基本接続ＩＤ（Basic ＣＩＤ）を縮小する過程と、前記縮小されたＩＤを含む接続情報を前記フレームで構成して移動端末に伝送する過程と、を含むことを特徴とする。
【００１７】
前記のような目的を達成するために、本発明は、周波数軸で直交するサブキャリアが予め決定された時間単位でシンボルを構成し、前記シンボルでフレームを構成して伝送する広帯域無線通信システムの基地局において、バースト割当情報を構成する方法であって、前記基地局に連結された移動端末の基本接続ＩＤが予め設定された範囲（range）内に存在する際、縮小連結ＩＤの使用の可否を設定する縮小連結ＩＤイネーブルフィールドを接続情報に設定する過程と、前記接続情報に縮小連結ＩＤを設定する過程と、を含むことを特徴とする。
【産業上の利用可能性】
【００１８】
以上、前述したように、本発明は、ＩＥＥＥ ８０２．１６広帯域直交周波数多重化接続システムにおけるバースト割当情報の伝送において、該当端末の基本連結ＩＤ（Basic ＣＩＤ）を縮小した縮小連結ＩＤ（reduced ＣＩＤ）を使用してバースト割当のための前記接続構成要素（ＭＡＰ＿ＩＥ）の伝送時にシステムオーバーヘッドを低減できるという利点がある。
【発明を実施するための最良の形態】
【００１９】
以下、添付された図面を参照しつつ、本発明の具体的な動作及び構造について詳細に説明する。図面中、参照番号及び同一な構成要素に対しては、たとえそれらが他の図面上に示されているとしても、できる限り同じ参照番号及び符号を付している。なお、本発明を説明するに当たり、本発明の要旨を曖昧にしうると考えられる場合、その詳細な説明は適宜省略する。
【００２０】
本発明は、広帯域無線通信システムにおいて、バースト割当情報伝送のために使われる連結ＩＤを縮小させる方法を提案する。また、連結ＩＤ縮小の可否を表示するシステム情報をフレームに含めて基地局に接続されている端末の連結ＩＤ縮小制御方法を提案する。
【００２１】
下記の説明では、本発明に係る動作の理解に必要な部分のみ説明され、その以外の部分の説明は本発明の要旨を曖昧にしない範囲内で省略されることに留意しなければならない。
【００２２】
そうすると、まず、本発明に適用される上下リンクのフレーム構造を図２を参照して説明する。
【００２３】
図２を参照すれば、前記図１に示すように、縦軸は多数個のサブチャンネルを表し、横軸はＯＦＤＭＡシンボルを表す。
【００２４】
図２の上段に位置した下りリンク２００を構成するサブチャンネルの前段にプリアンブル２１０が位置し、次に、セル内に位置した全ての端末に伝送されるシステム情報チャンネル（System Information Channel；以下、ＳＩＣＨと称する）２２０、ダウンリンクマップ構成要素とアップリンクマップ構成要素２３１及び２３２を含むミニマップ２３０の順に位置し、最後に、シンボルの下りバースト２４０、２４１、２４２、２４３及び２４４が位置する。
【００２５】
前記ＳＩＣＨ２２０には、前記ミニ接続情報の物理的な大きさ情報を含むルート接続情報（Root MAP）２２１が含まれているが、前記ルート接続情報２２１には、本発明で提案する縮小連結ＩＤ（reduced ＣＩＤ）の使用の可否を表示するイネーブルフィールドとして“縮小連結ＩＤイネーブル（Reduced ＣＩＤ Enabled）”フィールドを含んでいる。
【００２６】
前記縮小連結ＩＤイネーブル（Reduced ＣＩＤ Enabled）フィールドは、１ビットからなり、基地局に接続された移動端末の数が一定のしきい値以下になる場合にイネーブルされる。しかしながら、本発明は、前記しきい値が１つでない２つ以上である場合の実施形態も含む。即ち、前記イネーブルフィールドに前記縮小連結ＩＤイネーブル（Reduced ＣＩＤ Enabled）フィールドの代わりに、複数個のビットからなる連結ＩＤタイプ（ＣＩＤ Type）フィールドを使用して、縮小連結ＩＤの大きさ値にマッピングされる情報を表示することもできる。例えば、前記連結ＩＤタイプフィールドが２ビットからなる場合、その値が‘００’に設定される場合は１０ｂｉｔｓの大きさを有する連結ＩＤとマッピングされ、‘０１’の場合は１２ｂｉｔｓ、‘１０’の場合は１４ｂｉｔｓ、‘１１’の場合は１６ｂｉｔｓの連結ＩＤとマッピングされる。
【００２７】
また、前記“Reduced ＣＩＤ Enabled”あるいは“ＣＩＤ Type”のような情報は、システム情報チャンネル（ＳＩＣＨ）でないシステムがフレーム毎に伝送する最初のＭＡＰ＿ＩＥに含めることができる。したがって、全ての端末は、前記最初のＭＡＰ＿ＩＥを受信して、以下、自身に該当するＭＡＰ＿ＩＥを参照する際、どんなＣＩＤ Ｔｙｐｅを使用するかが分かるようにする実施形態も可能である。
【００２８】
前記ルート接続情報２２１は、３個のＲｍＮｓｃｈ０ ２２２、ＲｍＮｓｃｈ１ ２２３、ＲｍＮｓｃｈ２ ２２４フィールドからなり、前記各フィールドは、６ビット、５ビット、５ビットの大きさを有する。前記ＲｍＮｓｃｈ０ ２２２、ＲｍＮｓｃｈ１ ２２３及びＲｍＮｓｃｈ２ ２２４フィールドの各々は、変調及び復調が完了したミニ接続情報０（ｍｉｎｉ−ＭＡＰ０）２３０、ミニ接続情報１（ｍｉｎｉ−ＭＡＰ１）２３１及びミニ接続情報２（ｍｉｎｉ−ＭＡＰ２）２３２の物理的な大きさを表す。
【００２９】
前記ミニ接続情報を復調及びデコードするために使われる復調及びデコード方式は、各々１／１２ ＱＰＳＫ、１／２ ＱＰＳＫ及び１／２ １６ＱＡＭに予め定まっており、前記ミニ接続情報０ ２３０は最も低い復調及びデコード方式である（１／１２ＱＰＳＫ）を使用し、ミニ接続情報２ ２３２は最も高い復調及びデコード方式を使用する。したがって、基地局に連結された全ての端末は、ミニ接続情報０ ２３０を復調及びデコードすることができるが、ミニ接続情報２ ２３２は基地局に近い端末のみ復調及びデコードすることができる。
【００３０】
各々のミニ接続情報２３０、２３１及び２３２は、各々多数の接続情報要素（ＭＡＰ＿ＩＥ）２３３、２３４、２３５、２３６、２３７、２３８及び２３９を含んでいる。各接続情報要素（ＭＡＰ＿ＩＥ）は、各端末の上り接続情報（以下、ＵＬ−ＭＡＰ＿ＩＥと称する）２３４、２３６、２３７及び２３９、または、下り接続情報（以下、ＤＬ−ＭＡＰ＿ＩＥと称する）２３３、２３５及び２３８を表し、各々に該当するアップリンクバースト（以下、ＵＬ burstと称する）とダウンリンクバースト（以下、ＤＬ burstと称する）に対する接続情報を表示する。
【００３１】
本発明は、前記ミニ接続情報に含まれた接続情報要素を構成する連結ＩＤを縮小させるための方法を提案することになるが、まず、既存の接続情報要素（ＭＡＰ＿ＩＥ）の構成を図３ａ及び図３ｂを参照して説明する。
【００３２】
図３ａは、既存の ＵＬ−ＭＡＰ＿ＩＥの構成を示す図である。
【００３３】
図３ａを参照すれば、前記ＵＬ−ＭＡＰ＿ＩＥは、アップリンクバースト（ＵＬ burst）に対する２次元的帯域幅割当情報を定義し、時間的な順序により配列されている。ここで、連結ＩＤ（ＣＩＤ）は該当ＵＬ−ＭＡＰ＿ＩＥに対してユニキャスト（unicast）、マルチキャスト（multicast）、または、ブロードキャスト（broadcast）ＩＤに割り当てる。本発明の実施形態では、前記３つのＩＤの中で、ユニキャストの場合に前記縮小連結ＩＤ（reduced ＣＩＤ）を適用することにする。
【００３４】
ＵＩＵＣ（uplink interval usage code）は、割り当てられたアップリンクバースト（ＵＬ burst）に対する物理パラメータを区分する指示子である。前記ＵＩＵＣ値が‘１５’の場合は、拡張されたＵＩＵＣ関連情報要素（Extended ＵＩＵＣ dependent ＩＥ）が含まれ、‘１５’でない場合は、オフセット（offset）が含まれる。前記オフセットは該当バーストが始まるＯＦＤＭＡシンボルオフセットであって、その単位はスロットであり、ＵＬ−ＭＡＰメッセージの割当開始時間に対する相対的な値である。
【００３５】
図３ｂは、前記ＤＬ−ＭＡＰ＿ＩＥの構成を示す図である。
【００３６】
図３ｂを参照すれば、前記ＤＬ−ＭＡＰ＿ＩＥは、ダウンリンクバースト（ＤＬ burst）に対する２次元的帯域幅割当情報を定義する。前記ＤＩＵＣは割り当てられたダウンリンクバースト（ＤＬ burst）に対する物理パラメータを区分する指示子である。前記ＳｔａｒｔＰＳは、該当フレームでバースト（burst）の開始位置を表示する。前記連結ＩＤ（ＣＩＤ）は、該当バースト（burst）が使われる時のみに含まれるが、該当ＤＬ−ＭＡＰ＿ＩＥに対してユニキャスト（unicast）、マルチキャスト（multicast）、または、ブロードキャスト（broadcast）ＩＤに割り当てる。本発明の実施形態では、ユニキャストの場合に、前記縮小連結ＩＤ（reduced ＣＩＤ）を適用する。
【００３７】
そうすると、図３ａ及び図３ｂに図示された連結ＩＤ（ＣＩＤ）を割り当てる方法を、図４を参照して説明する。図４を参照すれば、前記基本連結ＩＤ（Basic ＣＩＤ）は各端末に対して１つずつ割り当てられるＣＩＤであって、０ｘ０００１からｍ個まで割当可能である。端末は網に接続する際、基地局から１つの基本連結ＩＤを割当受け、基地局は前記ＭＡＰ＿ＩＥを割り当てる際、この基本連結ＩＤを使用して端末にバーストデータを割り当てる。
【００３８】
ここで、ＳＩＣＨに１ビットのイネーブルフィールドが使われる場合、本発明では割当可能なこの値を予め定まった値（例；２＾１０）に限定し、基地局に接続中の端末の数が前記予め定まった値以下である場合に、前記基本連結ＩＤ（Basic ＣＩＤ）の代わりに縮小連結ＩＤ（reduced ＣＩＤ）を使用して端末のＭＡＰ＿ＩＥを割り当てる。結果的に、このような縮小連結ＩＤは基本接続ＩＤを構成するビット（ＬＳＢからＭＳＢまでのビット）の中で、意味を有するビットの範囲（range）によって決まるものである。一例として、前記縮小連結ＩＤの大きさは１０ｂｉｔｓ（基本連結ＩＤの下位Least Significant Bits；以下、ＬＳＢと称する）になることができる。即ち、基本的に、基本接続ＩＤが有する１６ビットより小さなビット数を有する全ての値は縮小連結ＩＤになることができる。
【００３９】
しかしながら、複数のビットからなる縮小連結ＩＤタイプ（ＣＩＤ Type）フィールドを使用することになる場合、基地局は前記縮小連結ＩＤタイプが表示する値にマッピングされる縮小連結ＩＤの大きさを選択することになる。
【００４０】
また、前記“Reduced ＣＩＤ Enabled”あるいは“ＣＩＤ Type”のような情報は、システム情報チャンネル（ＳＩＣＨ）でないシステムがフレーム毎に伝送する最初のＭＡＰ＿ＩＥに含まれる。
【００４１】
そうすると、前述したような、本発明で提案する好ましい実施形態によって連結ＩＤを縮小制御する方法を図５乃至図７を参照して説明することにする。
【００４２】
図５及び図６は１つに限定された縮小連結ＩＤを使用する第１実施形態を説明するための図であり、図７は使用可能な縮小連結ＩＤが複数個である第２実施形態を説明するための図である。
【００４３】
図５は、本発明の好ましい第１実施形態に係る基地局において、縮小連結ＩＤイネーブル（Reduced ＣＩＤ Enabled）フィールドに設定される値によって接続情報要素（ＭＡＰ＿ＩＥ）を生成する方法を説明するためのフローチャートである。
【００４４】
図５を参照すれば、基地局はステップ５００で、自身に連結された端末の数が予め決定されたしきい値（２＾１０）より小さいかどうかを判断する。前記ステップ５００の判断の結果、小さい場合、基地局はステップ５１０で、伝送フレームのＳＩＣＨ内の縮小連結ＩＤイネーブル（Reduced ＣＩＤ Enabled）フィールド値を‘１’に設定する。
【００４５】
そして、ステップ５２０で、基地局は該当フレーム伝送時からＭＡＰ＿ＩＥを構成する時に基本接続ＩＤ（Basic ＣＩＤ）の代わりに、１０ｂｉｔｓの縮小接続ＩＤ（reduced ＣＩＤ）を使用してＭＡＰ＿ＩＥを構成する。
【００４６】
一方、前記ステップ５００の判断結果、基地局に連結された端末の数が前記しきい値（２＾１０）より少なくない場合、基地局はステップ５３０で、前記ＳＩＣＨ内の縮小接続ＩＤイネーブル（Reduced ＣＩＤ Enabled）フィールド値を‘０’に設定し、ステップ５４０で、各端末に対するバースト（burst）割当情報の生成において、既存の基本接続ＩＤ（Basic ＣＩＤ）を使用してＭＡＰ＿ＩＥを生成する。
【００４７】
図６は、本発明の好ましい第１実施形態により縮小接続ＩＤ（reduced ＣＩＤ）を使用する基地局において、縮小連結ＩＤイネーブル（Reduced ＣＩＤ Enabled）フィールドの値が‘０’に設定されている状態で、基地局に接続中の端末数が予め決定された数以下に減少する場合に、縮小連結ＩＤ（Reduced ＣＩＤ）を使用するためのＣＩＤコンパックション（Compaction）方法を説明するための信号フローチャートである。
【００４８】
前記手順は、基地局に連結された端末の個数が特定の個数（２＾１０）以上である状態で既存の基本接続ＩＤ（Basic ＣＩＤ）を用いてＭＡＰ＿ＩＥを生成している状態で、基地局に接続中の端末の数が一定水準（例、2^10-delta；ここで、deltaは正の整数）以下に減少する場合に、前記縮小連結ＩＤ（reduced ＣＩＤ）を使用するための方法に対するものである。ここで、deltaは端末数が２＾１０の周辺でよく変動する場合に、前記ＣＩＤコンパックションが頻繁に発生し過ぎることを防止するためのマージン値であって、運用者が通信環境等の変数を考慮して任意に定める値である。
【００４９】
図６を参照すれば、基地局は、ステップ６００で、現在接続中の端末の個数が一定水準以下であるか否かを判断する。前記ステップ６００の判断の結果、現在接続中の基地局の数が一定水準以下の場合、基地局はステップ６１０で、特定値（２＾１０）以上の基本接続ＩＤ（Basic ＣＩＤ）を有する端末を抽出する。したがって、ステップ６２０で、基地局は前記抽出された端末の基本接続ＩＤ（Basic ＣＩＤ）を前記特定値以下の値に該当するＣＩＤにまた割り当て、ステップ６３０で、前記ＳＩＣＨ内の縮小連結ＩＤ（Reduced ＣＩＤ Enabled）フィールドを‘１’に設定して、この後、フレームからＭＡＰ＿ＩＥを生成する過程において、基本連結ＩＤ（Basic ＣＩＤ）の代わりに、基本連結ＩＤ（１６ｂｉｔｓ）で下位ＬＳＢ（Least Significant bits）１０ｂｉｔｓの縮小連結ＩＤ（reduced ＣＩＤ）を使用するようにする。
【００５０】
図７は、本発明の好ましい第２実施形態によって基地局が複数個の連結ＩＤを使用して接続情報要素を設定する方法を説明するための図である。
【００５１】
図７を参照すれば、基地局はステップ７１０で、基地局に連結された端末の数を測定する。その後、基地局はステップ７２０で、前記測定された端末数に相応する連結ＩＤを選択する。ここで、基地局は複数のしきい値のうち、測定された端末数に近接するしきい値を選択する。例えば、前述したように、しきい値が２＾１０、２＾１２、２＾１４、２＾１６であり、基地局に連結された値が２＾１３の場合、しきい値に２＾１４が選択される。
【００５２】
そして、前記しきい値に相応するＣＩＤタイプを決める。例えば、しきい値が２＾１０の場合、１０ｂｉｔｓの大きさを有する連結ＩＤタイプが決まり、しきい値が２＾１２の場合、１２ビットを有する連結ＩＤタイプが決まり、しきい値が２＾１４の場合、１４ビットを有する連結ＩＤタイプが決まり、しきい値が２＾１６の場合、１６ビットを有する連結ＩＤタイプが決まる。
【００５３】
ステップ７３０で、基地局は前記決定された連結ＩＤタイプによって連結ＩＤタイプフィールドを、前述したように、‘００’、‘０１’、‘１０’及び‘１１’にマッピングする。ここで、基地局は実施形態によって、前記ＣＩＤタイプをＳＩＣＨに含めることもでき、ステップ７４０のミニマップに含めることもできる。
【００５４】
ステップ７４０で、基地局は前記決定された連結ＩＤタイプに相応するＣＩＤを使用してミニマップを構成することになる。
【００５５】
次に、本発明に係る基地局の構成について説明する。
【００５６】
図８は、本発明に係る基地局８００の構成を示す図である。前記図８を参照すれば、制御部８０１は端末の基本接続ＩＤが予め設定された範囲内にあるか否かを判断する。また、前記端末の基本接続ＩＤが前記範囲内にある場合、ＭＡＰ＿ＩＥ内に縮小連結ＩＤの使用の可否を表すイネーブルフィールドを構成することになる。ここで、前記イネーブルフィールドは縮小連結ＩＤイネーブルフィールドを使用することもでき、複数のビットから構成されて多数の基準値を有するＣＩＤタイプフィールドから構成できる。
【００５７】
そして、前記制御部８０１は、イネーブルフィールドによって縮小連結ＩＤを生成することになる。例えば、前記イネーブルフィールドが２ビットであるＣＩＤタイプフィールドであれば、‘００’、‘０１’、‘１０’及び‘１１’と４つの場合を表すことができるが、‘００’は基本接続ＩＤを使用することを表し、残りの場合は予め設定されたタイプの縮小連結ＩＤを使用してマップピングすることになる。その後、前記制御部８０１は、前記設定された縮小連結ＩＤを接続情報に設定することになる。
【００５８】
プリアンブル生成部８０３は、フレーム生成時にシステム同期を合せたり、端末のセル決定等に必要とするプリアンブルを生成したりする役割をする。ここで、前記プリアンブルは、端末がデータ復旧時に必要とするチャンネル推定に利用されることもある。前記プリアンブルは多数のパターンを予め設定して使用する。
【００５９】
前記トラフィック部８０５は、基地局制御器のような上位段に伝送されるトラフィックを内部バッファーに格納する。
【００６０】
最後に、ＯＦＤＭ（Orthogonal Frequency Division Modulation）送信器８０７は、前記制御部８０１で生成されたＭＡＰ情報、前記プリアンブル及び前記トラフィック情報を多重化して端末に伝送するフレームを構成することになる。ここで、前記ＯＦＤＭ送信器８０７において、多重化及び逆高速フーリエ変換（Inverse fast fourier transform）に対する装置は本発明と関連がないので、これに対する構成は省略した。
【００６１】
次に、前記基地局８００がバースト割当情報を伝送する方法について次の図９を用いて説明する。
【００６２】
前記図９を参照すれば、まず、前記基地局８００の制御部８０１は、ステップ９００で移動端末の基本接続ＩＤの範囲を測定することになる。その後、前記制御部８０１は、ステップ９１０で、移動端末の基本接続ＩＤが予め設定された範囲内に含まれるか否かを判断することになる。前記移動端末の基本接続ＩＤが予め設定された範囲内に含まれることになれば、前記制御部８０１は、ステップ９２０で、縮小連結ＩＤの使用の可否及び縮小連結ＩＤの種類を表すイネーブルフィールドと前記イネーブルフィールドに係る縮小連結ＩＤとを生成してＭＡＰ情報に格納することになる。その後、前記ＯＦＤＭ送信部８０７は、ステップ９４０で、前記ＭＡＰ情報、プリアンブル及びトラフィック情報を多重化してフレームを生成する。そうすると、前記ＯＦＤＭ送信部８０７は、ステップ９５０で、前記フレームを移動端末に伝送することになる。
【００６３】
しかしながら、前記ステップ９１０で、前記移動端末の基本接続ＩＤが予め設定された範囲内に含まれない場合、前記制御部８０７はステップ９３０に進行して基本接続ＩＤをＭＡＰ情報に設定し、ステップ９４０に進行する。
【００６４】
次に、本発明に係る移動端末の構成を次の図１０を参照して説明することにする。
【００６５】
前記図１０を参照すれば、移動端末１０００の受信部１０１０は、前記基地局８００から伝送されたフレームを受信する。その後、前記受信部１０１０は受信されたフレームのプリアンブルを検出してシステム同期を合せることになる。
【００６６】
ＭＡＰ検出部１０２０は、前記受信部１０１０から伝送されたフレームを受信して、前記フレームでＭＡＰ情報を検出することになる。その後、前記ＭＡＰ情報を制御部１０４０に伝送することになる。
【００６７】
前記制御部１０４０は、前記ＭＡＰ情報から縮小連結ＩＤの使用の可否を表すイネーブルフィールドを確認することになる。前記フィールドを確認した後、縮小連結ＩＤを使用することになれば、前記制御部１０４０はそれに係る縮小連結ＩＤを適用して受信トラフィックデータを検出することになる。しかしながら、前記縮小連結ＩＤを使用しないと従来の基本接続ＩＤを適用して受信トラフィックデータを検出することになる。ここで、前記イネーブルフィールドが、複数のビットからなるＣＩＤタイプフィールドである場合、前記制御部１０４０は縮小連結ＩＤの使用の可否と前記縮小連結ＩＤのタイプとを設定することになる。
【００６８】
前記トラフィック処理部１０３０は、自体内にバッファーを備えているので、前記受信部１０１０から伝送されたトラフィックデータを格納し、前記格納されたデータは前記制御部１０４０から伝送されたＭＡＰ情報を用いて前記トラフィックデータを復号する役割を担当する。
【００６９】
そうすると、前記移動端末１０００が前記基地局８００からバースト割当情報を受信する方法について、次の図１１を参照して説明することにする。
【００７０】
前記図１１を参照すれば、まず、移動端末１０００は、ステップ１１１０で受信部１０１０を通じて基地局から伝送されたフレームを受信することになる。前記受信部１０１０は、前記受信フレームのプリアンブルを用いて基地局と端末との間のシステム同期を合せることになる。前記システム同期を合せた受信部１０１０は、前記フレームをＭＡＰ検出部１０２０に伝送することになる。その後、ステップ１１２０で、前記フレームを受信したＭＡＰ検出部１０２０は、前記フレームからＭＡＰ情報を検出して制御部１０４０に伝送する。前記制御部１０４０は、ステップ１１３０で、前記ＭＡＰ情報のイネーブルフィールドを確認して縮小連結ＩＤを使用するか否かを確認することになる。
【００７１】
前記縮小連結ＩＤを使用する場合、前記制御部１０４０はステップ１１４０に進行して、前記イネーブルフィールドに係る縮小連結ＩＤを適用することになる。ここで、前記イネーブルフィールドとして、複数のビットを設定するＣＩＤタイプフィールドを使用する場合、縮小連結ＩＤの使用の可否と前記縮小連結ＩＤのタイプとを設定することができる。その後、ステップ１１６０で、前記制御部１０４０はトラフィック処理部１０３０に格納されたトラフィックデータからなるＭＡＰ情報によってバースト情報を抽出することになる。
【００７２】
一方、前記ステップ１１３０で縮小連結ＩＤを設定しなければ、前記制御部１０４０は、ステップ１１５０に進行して基本接続ＩＤを適用して使用することになる。その後、ステップ１１６０に進行して、前記制御部１０４０は、受信されたトラフィックデータからなるＭＡＰ情報によってバースト情報を抽出することになる。
【図面の簡単な説明】
【００７３】
【図１】従来の技術に係る広帯域直交周波数多重化接続システムにおける上下リンクのフレーム構造を示す図である。
【図２】本発明の好ましい実施形態に適用される広帯域直交周波数多重化接続システムにおける既存の発明の上下リンクフレーム構造を示す図である。
【図３Ａ】従来の技術に係る広帯域直交周波数多重化接続システムにおけるアップリンク接続情報要素（ＵＬ−ＭＡＰ＿ＩＥ）構造を示す図である。
【図３Ｂ】従来の技術に係る広帯域直交周波数多重化接続システムにおけるダウンリンク接続情報要素（ＤＬ−ＭＡＰ＿ＩＥ）構造を示す図である。
【図４】従来の技術に係る広帯域直交周波数多重化接続システムにおけるＣＩＤ割当方法を説明するための図である。
【図５】本発明の好ましい第１実施形態に係る縮小連結ＩＤ（reduced ＣＩＤ）を使用する基地局において、接続情報要素（ＭＡＰ＿ＩＥ）を生成する方法を説明するためのフローチャートである。
【図６】本発明の好ましい第１実施形態により縮小連結ＩＤ（reduced ＣＩＤ）を使用する基地局において、基本連結ＩＤから縮小連結ＩＤ（Reduced ＣＩＤ）に変更するＣＩＤコンパックション（Compaction）方法を説明するためのフローチャートである。
【図７】本発明の好ましい第２実施形態に係る複数の種類の連結ＩＤを選択的に使用する基地局において、接続情報要素（ＭＡＰ＿ＩＥ）を生成する方法を説明するためのフローチャートである。
【図８】本発明に係る基地局の構成を示すブロック図である。
【図９】本発明に係る基地局がバースト割当情報を伝送する方法を説明するためのフロー図である。
【図１０】本発明に係る移動端末の構成を示すブロック図である。
【図１１】本発明に係る移動端末が基地局からバースト割当情報を受信する方法を説明するためのフロー図である。
【符号の説明】
【００７４】
２２０  ＳＩＣＨ
２２１  ルート接続情報
２３０  ミニ接続情報
２３３  接続情報要素
２３４  上り接続情報
【図１】
2007525134.tif 000003
【図２】
2007525134.tif 000004
【図３Ａ】
2007525134.tif 000005
【図３Ｂ】
2007525134.tif 000006
【図４】
2007525134.tif 000007
【図５】
2007525134.tif 000008
【図６】
2007525134.tif 000009
【図７】
2007525134.tif 000010
【図８】
2007525134.tif 000011
【図９】
2007525134.tif 000012
【図１０】
2007525134.tif 000013
【図１１】
2007525134.tif 000014
【国際調査報告】
2007525134.tif 000015
2007525134.tif 000016